(57)【要約】【課題】本考案は、強い構造を具備する電気コネクタを提供することを目的とする。【解決手段】本考案の電気コネクタは、第１貫通孔が形成される絶縁性本体と、前記絶縁性本体に装入される複数の導電端子と、絶縁性本体の前端を被覆するハウジングと、保持部と、リベットと、を備える。前記ハウジングには、第１貫通孔を対応する第３貫通孔が形成される。前記リベットは、前記第１、第３貫通孔を通り越す延在部と、切り欠き部を具備して前記延在部の前端に設けられる締め部と、を含む。前記リベットの締め部は外へ展開してハウジングに固着される。【選択図】図４
0003137238.tif 000002
【実用新案登録請求の範囲】
【請求項１】
第１貫通孔が形成される絶縁性本体と、
前記絶縁性本体に装入される複数の導電端子と、
絶縁性本体の前端を被覆し、第１貫通孔と対応する第３貫通孔が形成されるハウジングと、
保持部と、前記第１、第３貫通孔を貫通する延在部と、切り欠き部を具備して前記延在部の前端に設けられる締め部と、を含むリベットと、
を備え、前記リベットの締め部は外へ展開してハウジングに固着されることを特徴とする電気コネクタ。
【請求項２】
前記リベットには、保持部と延在部と締め部とを貫通する貫通溝が形成されることを特徴とする請求項１に記載の電気コネクタ。
【請求項３】
前記リベットの保持部は、四辺形に形成されることを特徴とする請求項１に記載の電気コネクタ。
【請求項４】
前記リベットの延在部は、筒状に形成されることを特徴とする請求項１に記載の電気コネクタ。
【請求項５】
前記電気コネクタは、絶縁性本体の両側に取り付けられる一対の係合部材を備え、各係合部材には、前記リベットの延在部と対応する第２貫通孔が形成されることを特徴とする請求項１に記載の電気コネクタ。
【請求項６】
前記係合部材は、上下方向に沿って延在する定位部と、水平方向に沿って延在する片状部と、片状部の一側から下向きに延在する複数の係合足と、を有し、前記第２貫通孔が係合部材の定位部に形成されることを特徴とする請求項５に記載の電気コネクタ。
【請求項７】
前記係合部材の定位部には、定位孔が形成され、前記絶縁性本体には、前記定位孔に挿入される定位柱が設けられることを特徴とする請求項６に記載の電気コネクタ。
【考案の詳細な説明】
【技術分野】
【０００１】
本考案は、リベットを有する電気コネクタに関するものである。
【背景技術】
【０００２】
従来技術の電気コネクタとして、特許文献１に開示された電気コネクタが知られ、この電気コネクタは、絶縁性本体と、絶縁性本体に固着される複数の導電端子と、絶縁性本体を被覆するハウジングと、リベットと、を含む。前記リベットは、保持部と、前記絶縁性本体とハウジングとを貫通する延在部と、を含む。前記延在部の前端には、締め部が設けられる。前記リベットは、締め部が外へ展開することによって、絶縁性本体とハウジングとに固着される。
【特許文献１】中国実用新案第２５７４２５４Ｙ号明細書
【考案の開示】
【考案が解決しようとする課題】
【０００３】
特許文献１に示すリベットの締め部は、外へ展開する時破損し易い。従って、前記電気コネクタの構造の強さが、低減される。
【０００４】
そこで本考案の目的は、上述の従来技術の問題に鑑み、強い構造を具備する電気コネクタを提供することにある。
【課題を解決するための手段】
【０００５】
本考案の電気コネクタは、第１貫通孔が形成される絶縁性本体と、前記絶縁性本体に装入される複数の導電端子と、絶縁性本体の前端を被覆するハウジングと、保持部と、リベットと、を備える。前記ハウジングには、第１貫通孔と対応する第３貫通孔が形成される。前記リベットは、前記第１、第３貫通孔を貫通する延在部と、切り欠き部を具備して前記延在部の前端に設けられる締め部と、を含む。前記リベットの締め部は外へ展開してハウジングに固着される。
【考案の効果】
【０００６】
従来の技術に比較して本考案は以下の効果を有する。締め部に切り欠き部を形成することによって、外へ展開する際、隣接する二つの切り欠き部の間の締め部が展開し易いので、破損しにくい。これにより、リベットは、ハウジングにしっかりと固着できる。前記電気コネクタの構造の強さが、低減されない。
【考案を実施するための最良の形態】
【０００７】
以下、この考案の実施の形態を添付の図を参照して説明する。
【０００８】
図１〜図３を参照すると、該電気コネクタ１００は、絶縁性本体１と、複数の導電端子２と、係合部材３と、リベット４と、ハウジング５とを備えている。
【０００９】
絶縁性本体１は、基部１１と、基部１１から前向きに突出する相手部１２と、基部１１から後向きに延在する主体部１３と、を備える。基部１１の両側には、一対の第１貫通孔１１２が形成される。各第１貫通孔１１２の上には、定位柱１１３が基部１１の後表面から後向きに突出する。各第１貫通孔１１２の下には、略矩形の支持部１１４が後向きに延在する。
【００１０】
各係合部材３は、水平方向に沿って延在する略矩形の片状部３２と、片状部３２から上向きに垂直的に折り曲がれる定位部３１と、片状部３２の外側から下向きに延在する一対の係合足３３と、を備える。各定位部３１には、第２貫通孔３１２が形成される。各第２貫通孔３１２の上には、第２貫通孔３１２の直径の寸法より小さい直径を含む定位孔３１３が形成される。
【００１１】
リベット４は、略矩形の保持部４１と、保持部４１から前向きに延在する筒状の延在部４２と、リベット４の中央に形成されて、保持部４１と延在部４２を貫通する貫通溝４５と、を備える。各延在部４２の前端には、前記貫通溝４５を貫通する切り欠き部４３２を含む締め部４３が設けられる。
【００１２】
ハウジング５は、金属材料から製造される。ハウジング５は、基板５１と、該基板５１から前向きに突出する突出部５２と、を備える。基板５１の両側には、前記絶縁性本体１の第１貫通孔１１２を対応する一対の第３貫通孔５１２が形成される。
【００１３】
図１乃至図３に示すように、該電気コネクタ１００を組み立てる時、先ず、導電端子２は絶縁性本体１の内に収納される。係合部材３は、絶縁性本体１に取り付けられる。係合部材３の片状部３２が絶縁性本体１の支持部１１４に支持され、定位部３１が基部１１の後表面に接触する。係合部材３の定位孔３１３は、絶縁性本体１の定位柱１１３と係合する。次に、ハウジング５は、絶縁性本体１の相手部１２を被覆する。最後、リベット４が、絶縁性本体１に取り付けられる。リベット４の延在部４２は、順番に係合部材３の第２貫通孔３１２と、絶縁性本体１の第１貫通孔１１２と、ハウジング５の第３貫通孔５１２とを通り越す。図４に示すように、リベット４の締め部４３は、ハウジング５の第３貫通孔５１２から突伸した後、外へ展開してハウジング５に固着される。
【００１４】
締め部４３は、切り欠き部４３２を具備することによって、外へ展開する時破損しにくい。これにより、リベット４は、ハウジング５にしっかりと固着できる。前記電気コネクタ１００の構造の強さが、低減されない。
【００１５】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１６】
【図１】本考案のリベットが展開しない時の電気コネクタの組み合わせの斜視図である。
【図２】図１に示す電気コネクタの他の方向からの組み合わせの斜視図である
【図３】図１に示す電気コネクタの分解斜視図である。
【図４】本考案のリベットが展開した後の電気コネクタの組み合わせの斜視図である。
【符号の説明】
【００１７】
１  絶縁性本体
１１  基部
１１２  第１貫通孔
１１３  定位柱
１１４  支持部
１２  相手部
１３  主体部
２  導電端子
３  係合部材
３１  定位部
３１２  第２貫通孔
３１３  定位孔
３２  片状部
３３  係合足
４  リベット
４１  保持部
４２  延在部
４３  締め部
４３２  切り欠き部
４５  貫通溝
５  ハウジング
５１  基板
５１２  第３貫通孔
５２  突出部
【図１】
0003137238.tif 000003
【図２】
0003137238.tif 000004
【図３】
0003137238.tif 000005
【図４】
0003137238.tif 000006